(57)【特許請求の範囲】
【請求項１】
媒体スロットを覆うスライド式シャッタを機器本体の正面に設けた情報機器において、
前記シャッタの裏面と前記機器本体の正面のどちらか一方に、シャッタスライド方向に延びる複数のラックを互いに間隔を置いて並列に形成し、他方には前記複数のラックにかみ合う複数のピニオンを固定した平行送り用のシャフトを軸支し、このシャフトには節動子をスライド自在に嵌合し、且つこの節動子をばねにより一方向に付勢するとともに、前記ラックを形成した側には、シャッタスライド時に前記節動子が乗り越えるべき山部を有するクリックモーション生成部材を配置したことを特徴とする情報機器。
【請求項２】
前記ばねが、前記シャフトを取り巻く圧縮コイルばねであることを特徴とする請求項１に記載の情報機器。
【請求項３】
前記機器本体とシャッタの間に、前記ばねの付勢力で相互接触を生じるスライドガイド部が設けられていることを特徴とする請求項１又は２に記載の情報機器。
【発明の詳細な説明】
【技術分野】
【０００１】
本発明はＤＶＤやＣＤなどのディスク状媒体を扱う情報機器に関する。
【背景技術】
【０００２】
ＡＶ機器やパーソナルコンピュータなどの情報機器では、ＤＶＤやＣＤといったディスク状媒体から情報を読み出したり、ディスク状媒体に情報を記録したりすることが多い。ディスク状媒体のローディング／アンローディングにあたり、最近ではトレイ方式でなくスロットイン方式を採用するものが増えている。
【０００３】
スロットイン方式はトレイ方式に比べメカニズムを簡素化できるというメリットがある反面、スロットから塵埃や虫などが入り込む懸念がある。この問題に対処するため、特許文献１では、スロットをスライドドアで覆う構造が提案されている。
【特許文献１】特開平１１−１１２２２号公報（第３−４頁、図１−８）
【発明の開示】
【発明が解決しようとする課題】
【０００４】
特許文献１に記載された装置では、細長いスライドドアを平行移動させるのにリンク機構を採用している。リンク機構は簡便ではあるが、スライドドアを正確に平行移動させるためには部品寸法の正確さと組立精度の高さが求められる。また長期使用により摩耗が進んだ場合には容易に平行度が狂うという欠点がある。
【０００５】
本発明は上記の問題に鑑みなされたものであり、媒体スロットを覆うスライド式シャッタの動作機構を、動きが正確で、長期間使用しても動きに狂いが生じにくいものとすることを目的とする。
【課題を解決するための手段】
【０００６】
（１）上記目的を達成するために本発明の情報機器は、媒体スロットを覆うスライド式シャッタを機器本体の正面に設けた情報機器において、前記シャッタの裏面と前記機器本体の正面のどちらか一方に、シャッタスライド方向に延びる複数のラックを互いに間隔を置いて並列に形成し、他方には前記複数のラックにかみ合う複数のピニオンを固定した平行送り用のシャフトを軸支し、このシャフトには節動子をスライド自在に嵌合し、且つこの節動子をばねにより一方向に付勢するとともに、前記ラックを形成した側には、シャッタスライド時に前記節動子が乗り越えるべき山部を有するクリックモーション生成部材を配置したことを特徴としている。
【０００７】
この構成によると、間隔を置いて並列に形成した複数のラックに対し、平行送り用のシャフトが同時にピニオンをかみ合わせたことにより、シャッタの各箇所が同期して移動することになり、シャッタは正確に同一姿勢を保ちつつ平行移動する。ラック・ピニオン機構はリンク機構ほどには摩耗の影響を受けないので、長期間使用しても動きに狂いが生じにくい。また節動子とクリックモーション生成部材の組み合わせにより、シャッタに歯切れの良い動きを生じさせることができると。さらに、節動子の支持はピニオンを固定したシャフトによって行われるから、節動子をスライド自在に支持するための仕組みを簡単且つ堅牢なものとすることができる。
【０００８】
（２）また本発明は、上記構成の情報機器において、前記ばねが、前記シャフトを取り巻く圧縮コイルばねであることを特徴としている。
【０００９】
この構成によると、ばねの選択と設置が簡単であるうえ、圧縮コイルばねの中にシャフトが通っているため、圧縮してもばねが挫屈しないので、大きく圧縮して強い弾発力を得る構成を実現できる。
【００１０】
（３）また本発明は、上記構成の情報機器において、前記機器本体とシャッタの間に、前記ばねの付勢力で相互接触を生じるスライドガイド部が設けられていることを特徴としている。
【００１１】
この構成によると、ラックとピニオンのかみ合わせのみがシャッタの姿勢を規正するのでなく、スライドガイド部もシャッタの姿勢を規正するから、かみ合わせ部に生じるバックラッシュにより、ラック・ピニオンの対毎のかみ合わせが対同士間で厳密に同期しなかったとしても、それに左右されずシャッタを常に正しい姿勢に保つことができる。
【発明の効果】
【００１２】
本発明によると、ラック・ピニオン機構の採用によりシャッタを正確に平行送りし、長期間使用してもシャッタの動きに狂いが生じにくくすることができる。またシャッタをクリックモーションで歯切れ良く動かすことができる。
【発明を実施するための最良の形態】
【００１３】
以下、本発明の実施形態を図に基づき説明する。図はいずれも情報機器を示すものであり、図１、２は異なる状態の概略正面図、図３は要部を断面した正面図、図４は図３のＡ−Ａ断面図、図５は図３のＢ−Ｂ断面図、図６、７は図３と同様の正面図にしてシャッタ動作を説明するためのもの、図８は図７に対応する図５と同様の断面図である。
【００１４】
情報機器１は車載用のＡＶ機器であり、機器本体２の正面部にはＤＶＤやＣＤなどのディスク状媒体を中に送り込み、また排出するための水平なスロット３が形成されている。スロット３に対してはこれを開閉自在に覆うスライド式のシャッタ１０が組み合わせられる。以下、シャッタ１０の構造とその動作機構につき説明する。
【００１５】
機器本体２の正面部の左右両端には垂直方向に延びる隆起部４Ｌ、４Ｒが形成され、この隆起部４Ｌ、４Ｒの間にシャッタ１０が配置される。シャッタ１０はスロット３をゆとりをもって覆うに足る上下高さと左右幅を備えた正面形状矩形の合成樹脂成型品であり、その左右両端からは隆起部４Ｌ、４Ｒの中に入り込む突片１１Ｌ、１１Ｒが突出している（図３、４参照）。突片１１Ｌはシャッタ１０に一体成型され、突片１１Ｒは金属薄板からなる別部品をシャッタ１０の裏面に固定して形成されている。隆起部４Ｌ、４Ｒの機器中央側に向く側面には窓５Ｌ、５Ｒが形成されており、この窓５Ｌ、５Ｒが突片１１Ｌ、１１Ｒを受け入れることにより、シャッタ１０は上下スライド可能に、且つ前方に抜け出すことのないよう支持される。そして窓５Ｌ、５Ｒの高さがシャッタ１０のスライドストロークの上限と下限を定める。
【００１６】
シャッタ１０の裏面には、シャッタスライド方向に延びる複数のラックが互いに間隔を置いて並列に形成される。実施形態ではラックの数は２個であり、シャッタ１０の左端に近い箇所にラック１２Ｌ、シャッタ１０の右端に近い箇所にラック１２Ｒがそれぞれ一体成型されている。これに対応して機器本体２の正面には、ラック１２Ｌ、１２Ｒにかみ合うピニオン１３Ｌ、１３Ｒを固定した平行送り用のシャフト１４が軸支される。機器本体２の正面部は合成樹脂製であり、シャフト１４とピニオン１３Ｌ、１３Ｒを収納する横長の凹所６が形成されている。凹所６の中には端縁にシャフト１４を受ける凹部７ａ（図４参照）を備えたリブ７が複数個、適宜間隔で配置されている。凹部７ａにシャフト１４をはめ込んだうえ、外側からシャッタ１０を重ねてピニオン１３Ｌ、１３Ｒにラック１２Ｌ、１２Ｒをかみ合わせることにより、シャフト１４の取付とラック・ピニオンのかみ合わせが一挙に遂行される。なお言うまでもないが、ピニオン１３Ｌ、１３Ｒの歯数とピッチ円直径は同一である。
【００１７】
シャッタ１０をスロット３を閉ざす状態と開く状態との間で歯切れ良く動かすため、シャッタ１０にクリックモーション機構１５を設ける。クリックモーション機構１５の主たる構成要素は節動子１６とクリックモーション生成部材１７である。
【００１８】
節動子１６はシャフト１４にスライド自在に嵌合したベース１６ａにピン１６ｂを立てたものであり、ばねにより一方向（図の構成では右方向）に付勢され、ピン１６ｂをクリックモーション生成部材１７に押し当てる。ばねはシャフト１４を取り巻く圧縮コイルばね１８であって、シャフト１４に固定されたスリーブ１９と節動子１６の間に挿入されている。
【００１９】
クリックモーション生成部材１７はシャッタ１０の裏面に固定された別体の合成樹脂板であって、節動子１６の当たる側縁は中央が節動子１６に向かって突き出し、山部１７ａを形成している。山部１７ａの頂点は円弧を描く。節動子１６が山部１７ａに当たることにより、シャフト１４は圧縮コイルばね１８の弾発力で左側に押され、スリーブ１９がリブ７に当たる位置で落ち着く。これにより、シャフト１４の軸線方向の位置が定まる。
【００２０】
節動子１６がシャフト１４のまわりで回転すると、ピン１６ｂがクリックモーション生成部材１７から外れてしまうことが起こり得る。そこで、ベース１６ａにはピン１６ａと反対側にローラ１６ｃを装着し、このローラ１６ｃを、シャフト１４の軸線方向に沿う形で凹所６の底に形成されたガイド溝８（図４参照）に係合させて、節動子１６の回転を防いでいる。
【００２１】
機器本体２とシャッタ１０の間には、圧縮コイルばね１８の力で相互接触を生じるスライドガイド部２０が設けられる。スライドガイド部２０を構成するのは、機器本体２に形成されたガイド溝２１と、突片１１Ｒに取り付けられ、ガイド溝２１に入り込んでその右側の縁に当たる１対のローラ２２である。ガイド溝２１はシャッタ１０のスライド方向に延び、その右側の縁はスロット３の長手方向に対し正確に直角をなす。１対のローラ２２は上下方向に間隔を置いて配置されるものであり、その外周面同士を結ぶ線はシャッタ１０のスライド方向と正確に一致する。
【００２２】
シャッタ１０の動作は次の通りである。図１、３、５はシャッタ１０がスロット３を閉ざしている状態を示す。節動子１６はクリックモーション生成部材１７の山部１７ａの下向きの斜面に当たっており、クリックモーション生成部材１７には上向きの分力が作用している。この上向きの分力により、シャッタ１０はスライドストロークの上限位置に、すなわち突片１１Ｌ、１１Ｒが窓５Ｌ、５Ｒの上端に当たる位置に維持されている。
【００２３】
スロット３を開くときはシャッタ１０に指を掛けて引き下ろす。すると図６に見られるように、クリックモーション生成部材１６は圧縮コイルばね１７の圧力に抗して節動子１６を左側に排除しつつ下降する。ピン１６ａが山部１７ａの頂点を乗り越えると、圧縮コイルばね１８はそれまでに蓄えてきたエネルギーを一挙に放出し、節動子１６を右側に押し出す。これによりシャッタ１０は図２、７、８に示す下限位置、すなわち突片１１Ｌ、１１Ｒが窓５Ｌ、５Ｒの下端に当たる位置まで一気に落ち込み、スロット３が露出する。この時、節動子１６は山部１７ａの上向きの斜面に当たり、クリックモーション生成部材１７には下向きの分力が作用する。この下向きの分力により、シャッタ１０はスライドストロークの下限位置に維持される。
【００２４】
スライドガイド部２０を構成するガイド溝２１と１対のローラ２２は圧縮コイルばね１８の力で常時接触し、シャッタ１０の姿勢を規正する。このため、かみ合わせ部に生じるバックラッシュにより、ラック・ピニオンの対毎のかみ合わせが対同士間で厳密に同期しなかったとしても、それに左右されずシャッタを常に正しい姿勢に保つことができる。
【００２５】
本実施形態では機器本体２の側にピニオン１３Ｌ、１３Ｒを固定したシャフト１４を配置し、シャッタ１０にラック１２Ｌ、１２Ｒを形成したが、これを逆にして、シャッタ１０の側にピニオン１３Ｌ、１３Ｒを固定したシャフト１４を配置し、機器本体２の側にラック１２Ｌ、１２Ｒを形成することもできる。また、水平なスロット３に横長のシャッタ１０を組み合わせたが、スロット３を垂直にし、これに縦長のシャッタ１０を組み合わせる構成も可能である。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は、ディスク状媒体を扱う情報機器に広く利用可能である。
【図面の簡単な説明】
【００２８】
【図１】情報機器の概略正面図
【図２】異なる状態の概略正面図
【図３】要部を断面した正面図
【図４】図３のＡ−Ａ断面図
【図５】図３のＢ−Ｂ断面図
【図６】図３と同様の正面図にして、シャッタ動作を説明するためのもの
【図７】図３と同様の正面図にして、シャッタ動作を説明するためのもの
【図８】図７に対応する図５と同様の断面図
【符号の説明】
【００２９】
１    情報機器
２    機器本体
３    スロット
１０  シャッタ
１１Ｌ、１１Ｒ  突片
１２Ｌ、１２Ｒ  ラック
１３Ｌ、１３Ｒ  ピニオン
１４  シャフト
１５  クリックモーション機構
１６  節動子
１７  クリックモーション生成部材
１７ａ  山部
１８  圧縮コイルばね
２０  スライドガイド部
２１  ガイド溝
２２  ローラ
【図１】
0004530952.tif 000002
【図２】
0004530952.tif 000003
【図３】
0004530952.tif 000004
【図４】
0004530952.tif 000005
【図５】
0004530952.tif 000006
【図６】
0004530952.tif 000007
【図７】
0004530952.tif 000008
【図８】
0004530952.tif 000009